(57)【要約】【課題】入院患者の貴重品の保管管理を容易にして、入院患者の心理的負担を軽減する貴重品保管管理システムを提供する。【解決手段】各患者にそれぞれ装着され患者を識別するための患者管理符号が付された装着具と、前記病室に配置され電気錠が取り付けられた収納部と、前記患者管理符号と、当該患者管理符号が付された患者が入院される病室の部屋番号とが対応つけられて記憶される記憶部を有するサーバとを備え、前記収納部には、前記装着具に付された前記患者管理符号を読取る読取器が取り付けられており、前記読取器で読取られた情報をもとに、前記読取器のある前記部屋番号及び前記患者管理符号を前記サーバに記憶されている情報と照合し、同じと判断した場合に、前記読取器が取り付けられた前記収納部の前記電子錠を開錠することを特徴とする貴重品保管管理システム。【選択図】  図１
2019190180.tif 000002
【特許請求の範囲】
【請求項１】
部屋番号が付された病室に入院する患者の貴重品を保管管理する貴重品保管管理システムであって、
各患者にそれぞれ装着され患者を識別するための患者管理符号が付された装着具と、
前記病室に配置され電気錠が取り付けられた収納部と、
前記患者管理符号と、当該患者管理符号が付された患者が入院する病室の部屋番号とが対応付けられて記憶される記憶部を有するサーバとを備え、
前記収納部には、前記装着具に付された前記患者管理符号を読取る読取器が取り付けられており、
前記読取器で読取られた情報をもとに、前記読取器のある前記部屋番号及び前記患者管理符号を前記サーバに記憶されている情報と照合し、同じと判断した場合に、前記読取器が取り付けられた前記収納部の前記電気錠を開錠することを特徴とする貴重品保管管理システム。
【請求項２】
前記読取器と前記サーバとの間に配置された端末を備え、
前記端末は、前記読取器からの出力された情報を受信し、受信した前記情報から前記患者管理符号及び前記部屋番号を特定し、前記サーバの記憶部に記憶されている情報と照合して、同じかどうかを判断し、同じであると判断した場合に、開錠コードを前記収納部に送信することを特徴とする請求項１に記載の貴重品保管管理システム。
【請求項３】
前記患者が入院する病室が変更になったときには、前記記憶部に、当該患者の患者管理符号と、変更後の病室の部屋番号とが対応付けられて再記録されることを特徴とする請求項１又は請求項２に記載の貴重品保管管理システム。
【請求項４】
前記患者が退院したときには、前記記憶部に記憶されている当該患者の患者管理符号及び部屋番号を削除することを特徴とする請求項１〜請求項３のいずれか１項に記載の貴重品保管管理システム。
【請求項５】
前記装着具は、リストバンドであり、
前記患者管理符号は、バーコードであり、
前記収納部は、セーフティボックスであり、
前記読取器は、バーコードリーダであることを特徴とする請求項１〜請求項４のいずれか１項に記載の貴重品保管管理システム。
【請求項６】
請求項１〜請求項５のいずれか１項に記載の貴重品保管管理システムを用いたことを特徴とする、床頭台。
【請求項７】
各患者にそれぞれ装着され患者を識別するための患者管理符号が付された装着具と、
前記病室に配置され電気錠が取り付けられた収納部と、
前記患者管理符号と当該患者管理符号が付された患者の情報とが対応付けて記憶される記憶部を有するサーバとを備える、
病室に入院する患者の貴重品を保管管理する貴重品保管管理システムの管理方法であって、
前記収納部に接続された読取器によって前記患者管理符号を読取る工程と、
前記読取器で読取られた前記患者管理符号と、前記サーバに記憶されている情報とを照合する工程と、
前記読取器による情報と、前記サーバに記録されている情報とが一致した時、前記読取器が取り付けられた前記収納部の電気錠の開錠キーを送信する工程とを有することを特徴とする貴重品保管管理システムの管理方法。
【請求項８】
部屋番号が付された病室に入院する患者の貴重品を保管管理するセーフティボックスであって、前記セーフティボックスは、
各患者にそれぞれ装着され患者を識別するための装着具に付された患者管理符号と当該患者管理符号が付された患者が入院する病室の部屋番号とが対応付けられて記憶される記憶部を有するサーバと、
前記セーフティボックスを施錠する電気錠と、
前記装着具に付された前記患者管理符号を読取る読取器とを備え、
前記読取器で読取られた情報をもとに、前記読取器のある前記部屋番号及び前記患者管理符号を前記サーバに記憶されている情報と照合し、同じと判断した場合に、前記電気錠の開錠キーを得られることを特徴とする、セーフティボックス。
【発明の詳細な説明】
【技術分野】
【０００１】
本発明は、病院の入院患者が貴重品を安全に保管管理することができる貴重品保管管理システムに関し、特に床頭台の電気錠付セーフティボックスをサーバの情報をもとに開閉することで、貴重品を容易に保管管理することができる貴重品保管管理システム及びそれに用いられる床頭台、貴重品保管管理システムの管理方法、並びにセーフティボックスに関する。
【背景技術】
【０００２】
見舞い客等の不特定多数の人が出入りする病院では、不審者が病院内を徘徊し、入院患者の貴重品を盗む窃盗事件が多く起きている。そこで、従来、病院の入院患者が貴重品の保管を行なうには、床頭台の引出し内に、スチール製の金庫を設置するか、床頭台の引出しに錠前を取り付けている。これらに使われる錠前は、シリンダー錠、プラスチックカード錠（例えば特許文献１参照）、暗証番号を合わせる方法等が利用されている。
【先行技術文献】
【特許文献】
【０００３】
【特許文献１】特開２００６−６３５７９号公報
【発明の概要】
【発明が解決しようとする課題】
【０００４】
しかしながら、シリンダー錠やプラスチックカード錠等では、入院患者は病院内を診察や検査等のために移動することが多く、往々にして紛失することがあった。
一方、暗証番号では、入院患者がその暗証番号を忘れることが往々にして起こり、特に高齢者には不向きである。
よって、従来の錠前では、錠前の管理のために、入院患者の心理的負担も大きいという問題点があった。
【０００５】
そこで、本発明は、上述した如き課題に鑑みてなされたものであり、入院患者の貴重品の保管管理を容易にして、入院患者の心理的負担を軽減する貴重品保管管理システム及びそれに用いられる床頭台、貴重品保管管理システムの管理方法、並びにセーフティボックスを提供することを目的とする。
【課題を解決するための手段】
【０００６】
以上のような目的を達成するために、本発明に係る貴重品保管管理システムは、部屋番号が付された病室に入院する患者の貴重品を保管管理する貴重品保管管理システムであって、各患者にそれぞれ装着され患者を識別するための患者管理符号が付された装着具と、前記病室に配置され電気錠が取り付けられた収納部と、前記患者管理符号と、当該患者管理符号が付された患者が入院する病室の部屋番号とが対応付けられて記憶される記憶部を有するサーバとを備え、前記収納部には、前記装着具に付された前記患者管理符号を読取る読取器が取り付けられており、前記読取器で読取られた情報をもとに、前記読取器のある前記部屋番号及び前記患者管理符号を前記サーバに記憶されている情報と照合し、同じと判断した場合に、前記読取器が取り付けられた前記収納部の前記電気錠を開錠することを特徴とする。
【０００７】
ここで、「貴重品」とは、金銭（財布等）や高級品（時計、宝飾類）だけでなく、入院患者等が紛失しないように管理が必要であると判断した物品を含む。
このような構成によれば、収納部に電気錠を取り付けて、その電気錠を装着具に付された患者管理符号を鍵として開閉することで、患者の貴重品を保管管理する。その結果、装着具に付された患者管理符号を鍵として利用することから、管理するシリンダー錠やプラスチックカード錠や暗証番号がなくなり、患者に与える負担を軽くすることができる。
【０００８】
また、本発明においては、前記読取器と前記サーバとの間に配置された端末を備え、前記端末は、前記読取器からの出力された情報を受信し、受信した前記情報から前記患者管理符号及び前記部屋番号を特定し、前記サーバの記憶部に記憶されている情報と照合して、同じかどうかを判断し、同じであると判断した場合に、開錠コードを前記収納部に送信するようにしてもよい。
また、本発明においては、前記患者が入院する病室が変更になったときには、前記記憶部に、当該患者の患者管理符号と、変更後の病室の部屋番号とが対応付けられて再記録されるようにしてもよい。
このような構成によれば、患者は病室を変更になる場合があるが、その場合にも、電気錠を装着具に付された患者管理符号を鍵として開閉することで、患者の貴重品を保管管理することができる。
【０００９】
そして、本発明においては、前記患者が退院したときには、前記記憶部に記憶されている当該患者の患者管理符号及び部屋番号を削除するようにしてもよい。
このような構成によれば、患者は退院する場合があるが、その場合にも、その患者管理符号及び部屋番号を記憶部から削除することで、次の患者は、装着具に付された患者管理符号を鍵として開閉することで、次の患者の貴重品を保管管理することができる。
【００１０】
さらに、本発明においては、前記装着具は、リストバンドであり、前記患者管理符号は、バーコードであり、前記収納部は、セーフティボックスであり、前記読取器は、バーコードリーダであるようにしてもよい。
このような構成によれば、一般的な病院で容易に用いられることができる。
また、本発明に係る床頭台は、上述したような貴重品保管管理システムに用いられることを特徴とする。
【００１１】
また、本発明に係る貴重品保管管理システムの管理方法は、各患者にそれぞれ装着され患者を識別するための患者管理符号が付された装着具と、前記病室に配置され電気錠が取り付けられた収納部と、前記患者管理符号と当該患者管理符号が付された患者の情報とが対応付けて記憶される記憶部を有するサーバとを備える、病室に入院する患者の貴重品を保管管理する貴重品保管管理システムの管理方法であって、前記収納部に接続された読取器によって前記患者管理符号を読取る工程と、前記読取器で読取られた前記患者管理符号と、前記サーバに記憶されている情報とを照合する工程と、前記読取器による情報と、前記サーバに記録されている情報とが一致した時、前記読取器が取り付けられた前記収納部の電気錠の開錠キーを送信する工程とを有することを特徴とする。
このような構成によれば、貴重品保管管理システムを適切に管理することができる。
【００１２】
さらに、本発明に係るセーフティボックスは、部屋番号が付された病室に入院する患者の貴重品を保管管理するセーフティボックスであって、前記セーフティボックスは、各患者にそれぞれ装着され患者を識別するための装着具に付された患者管理符号と当該患者管理符号が付された患者が入院する病室の部屋番号とが対応付けられて記憶される記憶部を有するサーバと、前記セーフティボックスを施錠する電気錠と、前記装着具に付された前記患者管理符号を読取る読取器とを備え、前記読取器で読取られた情報をもとに、前記読取器のある前記部屋番号及び前記患者管理符号を前記サーバに記憶されている情報と照合し、同じと判断した場合に、前記電気錠の開錠キーを得られることを特徴とする。
このような構成によれば、セーフティボックスに電気錠を取り付けて、その電気錠を装着具に付された患者管理符号を鍵として開閉することで、患者の貴重品を保管管理する。その結果、装着具に付された患者管理符号を鍵として利用することから、管理するシリンダー錠やプラスチックカード錠や暗証番号がなくなり、患者に与える負担を軽くすることができる。
【発明の効果】
【００１３】
以上のような貴重品保管管理システム、床頭台、貴重品保管管理システムの管理方法、及びセーフティボックスによれば、装着具に付された患者管理符号を鍵として利用することから、管理するシリンダー錠やプラスチックカード錠や暗証番号がなくなり、患者に与える負担を軽くすることができる。
【図面の簡単な説明】
【００１４】
【図１】本発明に係る貴重品保管管理システムを示すブロック図である。
【図２】リストバンドの一例を示す斜視図である。
【図３】床頭台の一例を示す斜視図である。
【図４】貴重品保管管理システムの動作の一例を示すフローチャートである。
【図５】貴重品保管管理システムの動作の一例を示すフローチャートである。
【図６】本発明に係る貴重品保管管理システムの変更例を示すブロック図である。
【図７】本発明に係る貴重品保管管理システムの更なる変更例を示すブロック図である。
【発明を実施するための形態】
【００１５】
以下、添付図面に基づいて本発明の実施形態について説明する。
【００１６】
図１は、本発明に係る貴重品保管管理システムを示すブロック図である。貴重品保管管理システム１００は、病院の管理室等に設置されたサーバ１０と、ナースステーションや床頭台内等に設置された複数のコンピュータ（端末、シンクラＰＣ）２０と、病室に配置される複数の床頭台４０と、患者の腕に装着される複数のリストバンド（装着具）３０とを備える。
【００１７】
病院には、患者が入院する複数の病室と、サーバ１０が設置された管理室が設置されている。各病室には、部屋番号が付されており、例えば「１０１号室」、「１０２号室」、・・・が付されている。これにより、各病室が識別されるようになっている。
【００１８】
図２は、リストバンドの一例を示す斜視図である。リストバンド３０は、柔軟性のある薄い合成樹脂によって形成されたバンド部分３１と、バンド部分３１の表面に付けられたバーコード３２とを有する。バーコード３２は、患者を管理する際に使用される患者管理符号（患者ＩＤ）を含む、文字や数字からなる複数桁の符号であり、各リストバンド３０には、それぞれ異なる患者管理符号が付されている。
【００１９】
このようなリストバンド３０は、入院当初にナース等から患者に手渡され、患者が入院している間、常時、患者の腕に嵌められる。例えば、患者に対して入院される病室（部屋番号）が決まると、その患者に患者管理符号が割り当てられ、その患者管理符号を含むバーコード３２がリストバンド３０の表面にナースステーション等で印字される。そして、そのリストバンド３０がその患者の腕に嵌められる。これにより、各患者が患者管理符号によって識別され、各患者の電子カルテ等が管理される。
一方、本発明では、リストバンド３０が患者の腕に嵌められると、患者管理符号と患者が入院する部屋番号とが対応付けられて（紐付けされて）サーバ１０の記憶部１１に記憶される。例えば、「患者管理符号Ａ」と部屋番号「１０１号室」とが対応付けられてサーバ１０の記憶部１１に記憶される。
【００２０】
また、リストバンド３０が患者の腕に嵌められた後、患者が病室を変更することがあるが、この場合には、患者管理符号と変更された部屋番号とが対応付けられてサーバ１０の記憶部１１に再度記憶される。例えば、「患者管理符号Ａ」の患者が病室を「１０１号室」から「１０２号室」に変更することになった場合には、「患者管理符号Ａ」と部屋番号「１０２号室」とが対応付けられてサーバ１０の記憶部１１に記憶される。このとき、サーバ１０では、患者管理符号と変更される前の部屋番号とが対応付けられた情報はサーバ１０の記憶部１１から削除されるようになっている。例えば、「患者管理符号Ａ」と部屋番号「１０１号室」とが対応付けられた情報はサーバ１０の記憶部１１から削除される。
【００２１】
さらに、患者が退院することがあるが、この場合には、患者管理符号と退院情報とが対応付けられて、サーバ１０では、患者管理符号と部屋番号とが対応付けられた情報は削除されるようになっている。例えば、「患者管理符号Ａ」の患者が退院することになった場合には、「患者管理符号Ａ」と部屋番号「１０１号室」とが対応付けられた情報はサーバ１０の記憶部１１から削除される。
【００２２】
図３は、床頭台の一例を示す斜視図である。床頭台４０は、例えば、幅が４００ｍｍ〜５００ｍｍ、奥行きが５００ｍｍ〜６００ｍｍ、高さが１２００ｍｍ〜１５００ｍｍ程度の収納家具である。なお、これら寸法は一例であり、使用等に支障が無ければ、より大きなサイズ（高さ１８００ｍｍ以上や、幅６００ｍｍ以上等）であっても問題は無く、逆に床頭台の設置場所が狭い場合は、小さなサイズ（高さ１２００ｍｍ以下や幅４００ｍｍ以下）であっても良い。
【００２３】
床頭台４０は、例えば、病室のベッドの近傍に配置され、１人の患者に１台の床頭台４０が使用されるものであり、その納品時に所定の病室に配置されることになる。例えば、納品された床頭台４０に対して配置される病室（部屋番号）が決まると、その床頭台４０と部屋番号とが対応付けられて記憶部１１に記憶される。
【００２４】
また、患者が病室を変更することがあるが、この場合には、患者とともに床頭台４０も、変更された病室に移動させ、その床頭台４０と変更された部屋番号とが対応付けられて、サーバ１０の記憶部１１に記憶される。このとき、サーバ１０では、その床頭台４０と変更される前の部屋番号とが対応付けられた情報は削除されるようになっている。
【００２５】
さらに、患者が退院することがあるが、この場合には、その床頭台４０と退院情報とが対応付けられて、サーバ１０では、その床頭台４０と部屋番号とが対応付けられた情報は削除されるようになっている。
【００２６】
床頭台４０は、スライド移動可能な３つの引出し４１と、出し入れ可能なスライドテーブル４２と、固定テーブル４３と、天井板４４とを有する。下段の引出し４１の中には冷蔵庫が格納されている。中段の引出し４１は開閉が自由であり、その中に患者の任意の物を収納できる。上段の引出し４１の中には、患者の貴重品を収納するためのセーフティボックス（収納部）５０が格納されている。なお、これらの構成から成る床頭台は一例であり、使用者（患者）や使用環境等によってさまざま仕様の床頭台を用いる事が出来る。
【００２７】
セーフティボックス５０には、内部に患者の貴重品が収納されるようになっており、引出し移動不可能状態にするロック状態（閉状態）とするための電気錠５１が取り付けられている。そして、セーフティボックス５０の外部には、リストバンド３０に付されたバーコード３２を読取るバーコードリーダ（読取器）５２が取り付けられている。
なお、セーフティボックス５０は、サーバ１０と、電気錠５１と、読取器５２とを備え、読取器５２で読取られた情報をもとに、読取器５２のある部屋番号及び患者管理符号をサーバ１０に記憶されている情報と照合し、同じと判断した場合に、電気錠５１の開錠キーを得られるように構成しても良い。
【００２８】
電気錠５１は、ロック状態（閉状態）であるときには、引出し移動不可能状態にする一方、非ロック状態（開状態）であるときには、引出し移動可能状態、すなわち貴重品が出し入れできる状態にする。このような電気錠５１におけるロック状態（閉状態）から非ロック状態（開状態）への切替えは、サーバ１０からの信号（開錠コード）を電気錠５１が受信することで実行されることになる。
なお、電気錠５１は、自動ロック装置であり、引き出された上段の引出し４１が閉められると、自動的にロック状態（閉状態）となる（自動ロック機能）。また、所定時間（例えば１分間）以上、非ロック状態（開状態）が続くとブザーが鳴る、閉め忘れ防止ブザー機能を備えていてもよい。
【００２９】
バーコードリーダ（読取器）５２は、読取ボタン５２ａを有し、読取ボタン５２ａが押圧されると、リストバンド３０に付されたバーコード３２を読取るものである。このようなバーコードリーダ（読取器）５２は、周知のバーコードリーダ、例えば光学方式のバーコードリーダによって構成されている。
そして、バーコードリーダ（読取器）５２は、読み取ったバーコード３２の情報（患者管理符号）を、コンピュータ２０に出力するようになっている。
【００３０】
サーバ１０は、コンピュータ２０から入力された情報等を記憶する記憶部１１と、プログラムを所定のタイミングで読み出して実行する制御部１２とを備え、コンピュータ２０は、プログラムを所定のタイミングで読み出して実行する制御部２１を備える。
【００３１】
制御部２１は、バーコードリーダ（読取器）５２から情報を受信するバーコードリーダ制御部２１ａを有する。
【００３２】
バーコードリーダ制御部２１ａは、バーコードリーダ（読取器）５２から情報を受信する制御を行うものである。例えば、患者管理符号Ａの患者が、１０１号室に配置された床頭台４０のバーコードリーダ（読取器）５２に、リストバンド３０のバーコード３２を読み取らせたときには、「１０１号室」に配置された床頭台４０のバーコードリーダ（読取器）５２から情報（「患者管理符号Ａ」）がバーコードリーダ制御部２１ａに出力され、バーコードリーダ制御部２１ａは、「１０１号室」に配置された床頭台４０のバーコードリーダ（読取器）５２から情報（「患者管理符号Ａ」）を受信し、「患者管理符号Ａ」と、「患者管理符号Ａ」を出力したバーコードリーダ（読取器）５２の部屋番号「１０１号室」の情報をコンピュータ２０に送信する。
【００３３】
制御部１２は、バーコードリーダ（読取器）５２から受信した情報と記憶部１１に記憶された情報とに基づいて処理する処理部１２ｂと、電気錠５１に信号（開錠コード）を出力する電気錠制御部１２ｃとを有する。
処理部１２ｂは、バーコードリーダ（読取器）５２から受信した情報とサーバ１０の記憶部１１に記憶された情報とに基づいて処理する制御を行うものである。例えば、バーコードリーダ制御部２１ａが「患者管理符号Ａ」及び部屋番号「１０１号室」を受信した際には、サーバ１０の処理部１２ｂに出力する。サーバ１０の処理部１２ｂは、記憶部１１に記憶された情報が、「患者管理符号Ａ」と部屋番号「１０１号室」とが対応している情報であったときには、一致していると判断する。一方、記憶部１１に記憶された情報が、「患者管理符号Ｂ」と部屋番号「１０１号室」とが対応している情報であったときには、一致していないと判断する。
【００３４】
電気錠制御部１２ｃは、電気錠５１に信号を出力する制御を行うものである。例えば、処理部１２ｂによって一致していると判断されたときには、電気錠５１にロック状態（閉状態）から非ロック状態（開状態）へ切替える旨の信号（開錠コード）を出力する。一方、処理部１２ｂによって一致していないと判断されたときには、電気錠５１に信号を出力しない。
ここで、複数の床頭台４０のセーフティボックス５０を管理するコンピュータ２０及びサーバ１０について説明する。図４及び図５は、貴重品保管管理システムの動作の一例を示すフローチャートである。ただし、ここで記載する動作は一例を挙げているにすぎず、他の方法を用いる事もできるのはもちろんである。
まず、バーコードリーダ（読取器）５２は、読取ボタン５２ａが押圧されたか否かを判断する（ステップＳ１０１）。読取ボタン５２ａが押圧されていないと判断したときには、ステップＳ１０１の処理を繰り返す。一方、読取ボタン５２ａが押圧されたと判断したときには、バーコードリーダ（読取器）５２は、リストバンド３０に付されたバーコード３２を２０秒以内に読取ったか否かを判断する（ステップＳ１０２）。バーコード３２を２０秒以内に読取っていないと判断したときには、ステップＳ１０１の処理に戻る。なお、読み取ったかどうかの判断を行う時間は、２０秒である必要は無く、読取器に接触したまま読取ボタン５２ａを押す場合は、１秒以内でも可能であり、様々な処理や動作等を行うことから、５秒程度に設定しても良い。
一方、バーコード３２を２０秒以内に読取ったと判断したときには、バーコードリーダ（読取器）５２は、読取ったバーコード３２の情報（患者管理符号）を、バーコードリーダ制御部２１ａに出力する（ステップＳ１０３）。例えば、患者管理符号Ａの患者が、１０１号室に配置された床頭台４０のバーコードリーダ（読取器）５２に、リストバンド３０のバーコード３２を読取らせたときには、「１０１号室」に配置された床頭台４０のバーコードリーダ（読取器）５２から情報（「患者管理符号Ａ」）がバーコードリーダ制御部２１ａに出力される。
次に、バーコードリーダ制御部２１ａは、バーコードリーダ（読取器）５２から情報を受信する（ステップＳ１０４）。例えばバーコードリーダ制御部２１ａは、「１０１号室」に配置された床頭台４０のバーコードリーダ（読取器）５２から情報（「患者管理符号Ａ」）を受信し、すなわち「患者管理符号Ａ」と、「患者管理符号Ａ」を出力したバーコードリーダ（読取器）５２の部屋番号「１０１号室」とを対応付けて受信する。
次に、サーバ１０は、バーコードリーダ制御部２１ａから情報を受信する（ステップＳ１０５）。
次に、処理部１２ｂは、バーコードリーダ（読取器）５２から受信した情報と、サーバ１０の記憶部１１に記憶された情報とが一致しているか否かを判断する（ステップＳ１０６）。不一致であると判断したときには、バーコードリーダ（読取器）５２にエラー信号を出力する（ステップＳ１０７）。
一方、一致であると判断したときには、電気錠５１に信号（開錠コード）を出力する（ステップＳ１０８）。
次に、電気錠５１は、ロック状態（閉状態）から非ロック状態（開状態）へ切替える（ステップＳ１０９）。
次に、セーフティボックス５０は、２０秒以内に開けられたか否かを判断する（ステップＳ１１０）。２０秒以内に開けられたときには、その後、１分以内に閉じられたか否かを判断する（ステップＳ１１１）。
１分以内に閉じられなかったときには、電気錠５１は、警告音を鳴らす（ステップＳ１１２）。
一方、ステップＳ１１０の処理において、２０秒以内に開けられなかったときや、ステップＳ１１１の処理において、１分以内に閉じられたときには、電気錠５１は、ロック状態（閉状態）にした後（ステップＳ１１３）、ステップＳ１０１の処理に戻る。
【００３５】
以上のような貴重品保管管理システム１００によれば、リストバンド３０に付された患者管理符号を鍵として利用することから、管理するシリンダー錠やプラスチックカード錠や暗証番号がなくなり、患者に与える負担を軽くすることができる。
【００３６】
＜他の実施形態＞
（１）上述した実施形態では、装着具としてリストバンド３０を例に示したが、リストバンドに限らず、携帯可能な記憶手段であればよい。例えば、首から紐で吊り下げるカード、指輪、腕輪、足首輪、ブローチ、ストラップ付のＲＦＩＤタグ等でも構わない。すなわち、患者管理符号が記憶された記憶手段で、且つ、常に容易に携帯可能な構成を有するものが好ましい。
【００３７】
（２）上述した実施形態では、１つの病室に１台の床頭台４０が配置される場合について述べたが、これに限定されるものではなく、１つの病室に４台の床頭台４０が配置されるように構成してもよい。この場合には、例えば「１０１号室−１」、「１０１号室−２」、・・・と付すことにより、識別されるようにすればよい。
【００３８】
（３）上述した実施形態では、一致していないと判定したときには、電気錠５１にエラー信号を出力するような構成としたが、警報等を鳴らす信号を出力するように構成してもよい。もしくは、他の患者のバーコードを読み取らせた場合、反応しないような構成にしてもよい。また、警告音を鳴らすとともに、読取器にある読取ボタンやＬＥＤランプ（図示無し）などを点灯、点滅して知らせるようにしても良い。警告音の大きさやＬＥＤランプの明るさ等は、状況等によって変更しても良い。
（４）上述した実施形態では、バーコードリーダ（読取器）５２からサーバ１０に直接情報が送信されないような構成としたが、変更例として、バーコードリーダ（読取器）５２からサーバ１０に直接情報が送信されるように構成してもよい。図６は、本発明に係る貴重品保管管理システムの変更例を示すブロック図である。
（５）上述した実施形態では、サーバ１０が処理部１２ｂと電気錠制御部１２ｃとを有するような構成としたが、更なる変更例として、コンピュータ２０が処理部１２ｂと電気錠制御部１２ｃとを有するように構成してもよい。図７は、本発明に係る貴重品保管管理システムの更なる変更例を示すブロック図である。すなわち、コンピュータ２０が電気錠５１に信号を出力してもよい。
【産業上の利用可能性】
【００３９】
本発明は、床頭台の電気錠付セーフティボックスをサーバの情報をもとに開閉することで、貴重品を容易に保管管理することができる貴重品保管管理システム及びそれに用いられる床頭台、貴重品保管管理システムの管理方法、並びにセーフティボックスを提供することができる。
【符号の説明】
【００４０】
１０        サーバ
３０        リストバンド（装着具）
５０        セーフティボックス（収納部）
５２        バーコードリーダ（読取器）
１００      貴重品保管管理システム
【図１】
2019190180.tif 000003
【図２】
2019190180.tif 000004
【図３】
2019190180.tif 000005
【図４】
2019190180.tif 000006
【図５】
2019190180.tif 000007
【図６】
2019190180.tif 000008
【図７】
2019190180.tif 000009